(57)【要約】      （修正有）【課題】河川、水路、沼等の土留め立ち護岸構築での生態系を考慮した空積み専用のホタルブロックとその構築方法の提供。【解決手段】立ち護岸としての露出部（施工後の積み面）を自然石（自然玉石、乱型自然石、砕石雑割）あるいは縁取りコンクリート擬石模様体で型成し、この背面よりにコンクリートで控尻に絞り込んだ仮想背面控版を一体として構成し施工後に隣接又は段重ね部に適度の隙間を構築し、この隙間に植袋等挟んで草花の生殖繁茂と微生物の生息やホタル幼虫の孵化場構築の手段とする。【選択図】  図１
2005068889.tif 000002
【特許請求の範囲】
【請求項１】
隣接又は段重ねして適度な隙間部を形成して凹凸変化を有する前面露出部を天然玉石又は乱型自然石あるいはコンクリート擬石模様ブロックとし天然玉石又は乱型自然石の場合その背面にドリル孔を設けてジョイント鉄筋を固定合設しコンクリート擬石模様ブロックの場合は鉄筋又は無鉄筋として背面底部より控尻に絞り込んだ仮想背面控版を一体として土留め立ち護岸構築体とし施工時に隣接又は段重ねされて型成される隙間に植袋を挟み込むか背面胴込み材を埋設して全体を構築できる様にしてなる空積み生態系ホタルブロックとその構築方法。
【発明の詳細な説明】
【技術分野】
【０００１】
本発明は、河川、水路、沼等の土留め立ち護岸構築での環境と生態系を考慮した空積みで表面露出を控尻の無い天然玉石又は砕石割石を含めた乱型自然石あるいはコンクリート擬石模様部に控尻に絞り込んだ仮想背面控版をコンクリートで一体とした生態系ホタルブロック製品とその構築方法に関する。
【背景技術】
【０００２】
従来の道路、公園、宅地造成の土留め擁壁あるいは、河川、水路、沼等の土留め立ち護岸構築の環境と生態系を考慮した製品とその構築方法には次の様な製品と方法があった。
【０００３】
（１）  天然石の玉石や乱型自然石を利用してこれに孔を掘って鋼材を設けて盛土背面アンカーに取り付けるか背面コンクリートに取り付けて構築する方法。  
【特許文献１】実用登録番号  第３０１６０４０号公報
【０００４】
（２）  表面模様をコンクリート擬石ブロックとしフックを設けて盛土背面アンカーに引張固定し構築する方法。
【０００５】
（３）  天然の玉石や乱型自然石あるいは擬石ブロックを利用して金網にこれらの石を接着剤で取り付けて法面に施工する方法。
【特許文献１】特開平１１−２４１４７５号公報
【０００６】
自立型枠に数個の自然石を接着剤で接着するかコンクリートの埋設し一体として製造しこのブロックを施工構築する方法。
【特許文献２】特開平０５−３０９６２０号公報
【０００７】
しかし上記製品と構築方法では次の様な課題と欠点があった。
【０００８】
（１）の天然の玉石や乱型自然石を利用してこれにドリルで孔を掘って鋼材を接着剤かホールアンカーとして一本鋼材かチェン・シャックルで背面盛土にアンカーを設けて結合構築する方法の空積みでは、施工段階で安定性が無く施工に技術と時間を要し能率も上がらなかった。
【０００９】
（２）のコンクリートで擬石玉石ブロックとし、この背面にフックを設けて背面盛土にアンカーを設けてここに取り付け構築する方法も（１）同様に空積みでは、施工段階で安定性が無く施工に技術を要し能率も上がらなかったのに加え危険でもあった。
【００１０】
（３）の天然の玉石や乱型自然石あるいはコンクリート擬石ブロックを利用して金網に接着剤で取り付けて法面に施工する製品は土圧に対する控が構成されてないので、張りブロック（法勾配１：１．５以上）の法張り施工現場には良いが、擁壁製品（立ち護岸）としては安定（転倒と滑動）が確保出来ず使用出来なかった。
【００１１】
（４）の自立型枠に数個の石を接着剤で接着するかコンクリートに埋設し一体として製造しこのブロックを施工構築する方法では、小さい寸法（大きさ１５〜２０ｃｍ、重さ２０〜３０ｋｇ限度）の製品よりできず、石を大型にすると重いのと持ち手が無いため苦労するばかりか落下の危険があったし機械で施工するにしても作業吊り手を製品重心を考慮して設ける必要があったし、型枠本体のコンクリートに接着又は埋設セッティングする際にも多くの時間と技術を要する課題があり、施工後の製品間の隙間の構築にも苦慮していた。
【００１２】
そこで、この出願発明者は、従来のプレキャスト製品の製造と豊富な納入実績と多くの施工現場の体験から、これらの製品と施工の欠点や問題点を熟知して本発明の課題を解決するためにいろいろ試作研究を重ねこの出願発明を完成した。
【発明の開示】
【発明が解決しようとする課題】
【００１３】
（１）  空積み生態系ホタルブロックとして自然石製品でも擬石製品でも見る人に違和感の無い製品で有る事に加え、隣接又は段重ね部に適度の隙間を構成される製品である事。
【００１４】
（２）  製造型枠コストが安価で製造が容易である事。
【００１５】
（３）  空積み製品として、施工が安全で迅速容易である事。
【００１６】
（４）  施工現場の条件に対して安定（転倒、滑動、並進運動）が確保される事。
【００１７】
（５）  施工後の前壁面に草花の生息繁茂が容易である構築形態である事。
【課題を解決するための手段】
【００１８】
この発明は、露出部（施工後の積み面）を自然石（天然玉石、乱型自然石、砕石雑割）あるいは縁取り（施工後に組み合わせ隙間を構築）コンクリートであって凹凸変化を有する擬石模様で型成し、この背面よりにコンクリートで控尻に絞り込んだ仮想背面控版を一体として構成したブロック製品とし、立ち護岸（法勾配標準１：０．３  〜  １：０．５標準）の積みブロックとして施工後に隣接又は段重ね部に適度の隙間を構築し、この隙間に草花の生息繁茂を容易とする手段とする。
【００１９】
この発明の「解決しようとする課題」と「解決するための手段」を上記の如くにする事により、次の様な発明の効果がある。
【発明の効果】
【００２０】
（１）  従来自然石には積み面（つみづら）が有り、練り積み（コンクリートで隙間を埋め背面にもコンクリート打設一体）では、この積み面を露出面に出して施工出来たが、空積み専用で隣接又は段重ね部分に隙間を必要とする生態系を考慮したホタル構築護岸としては適度の接地合端（あいば）が必要であるために施工には技術と時間を要していたばかりか施工後にも降雨に曝されての安定に疑問があった。
しかし、本発明製品では、積み面を選択し仮想背面控版を一体として構成されているので施工作業には積み面部を前面に出して取り扱う事が出来るので技術も時間も要せず、迅速、安全に作業ができるばかりか、仮想背面控版は控尻に（平面的）絞り込んでいるためにカーブ施工も容易である。
【００２１】
（２）  自然石では、最も人の目につく積み面（つみづら）を自由に選択して背面にドリルで孔を設けジョイント鉄筋を固定合着したものに型枠も仮想背面控版部分のコンクリート型枠のみで良く、擬石の場合も積み面部型枠（通常はゴムかＦＲＰ）に仮想背面控版部分の組み合わせ解体のない一体抜き取り型枠で良くコストが安価であり作業も容易である。
加えて、立ち護岸に使用不可能であった型の良い平面的点在する大型石でも型の良い積み面とする部分を砂場に反転セッティングし背面にドリルで孔を設けジョイント鉄筋を固定合着したものに仮想背面控版部分の型枠（控尻に絞り込んだ抜き取り型枠）にコンクリート打設して製品化出来ることにより変化に富んだ大型製品でアクセント製品として交ぜた立ち護岸の構築が可能である。
【００２２】
（３）  一体とする仮想背面控版は、自然石や積み面（つみづら）部の擬石の大きさ、土質、施工高、上載荷重、土圧条件等でその長さ（面積）や形状を必要に応じて変化させた製品も控尻に絞り込んだ抜き取り型枠をセッティングする事で容易に製造でき、工場では、複数個の自然石又は擬石模様製品も仮想背面控版で横長一体製品として施工効率もアップ出来る製品として製造提供出来るものである。
【００２３】
（４）  仮想背面控版の構成は空積みでも土圧に対して安定が確保される。
【００２４】
（５）  隣接又は段重ね部分に構成される隙間には、植袋あるいは種子土嚢か隙間以上の石を挟み込み背面には切り込み砂利を埋設する事により隙間から草花が繁茂する事に加えて変化に富んだ大型製品をアクセント製品として要所要所に組み合わせる事により、従来立ち護岸の欠点であった人工的に見える段積み線（積み上げ段数の合端の平行線）が途切れて見る人に違和感を与えない効果がある。
【００２５】
この発明の実施するための最良の形態と実施例を下記に説明する。
【発明を実施するための最良の形態】
【００２６】
（１）  この出願発明は、製品の製造型枠のコストが安価であると共に施工も技術を要せず安全で迅速に作業できる事が望ましい。
【００２７】
この出願発明は、石の形状に関わらず積み面を自由に選択できる事が望ましい。
【００２８】
（３）  この出願発明は、空積み製品として施行現場の条件に合わせた製品が容易に製造できて土圧に対しても安定が確保される事が望ましい。
【００２９】
（４）  壁面の要所要所に開口部が構成されて、ホタル幼虫の孵化場又は草花の生息繁茂の容易な場の提供が考慮されている事に加えて段積み線（積み上げ段数の合端の線）が途切れて見る人に違和感を与えない事が望ましい。
【実施例１】
【００３０】
次に、この出願発明を実施例により説明するが、この出願発明は実施例に限定されるものではない。
図１はこの出願発明の一個製品の概要斜視図であり、図２は複数個製品を一体化した製品の概要斜視図であり、図３は比較的大型自然石の積み面の背面底部にドリル孔を設け、ここに鉄筋を埋設固定しコンクリートを打設して仮想背面控版を設けた状態の背面よりの概要斜視図であり、図４は施工状態の概要を示す正面・断面図であり、Ａは天然玉石又は乱型自然石を、Ｂはコンクリート擬石模様ブロックを、Ｃはコンクリート仮想背面控版を、Ｃ−１は控尻端部を、Ｄは植袋を、１は施工隙間を、２は前面露出部の積み面を、３はドリル孔を、４はジョイント鉄筋を、５は配力鉄筋を、６は胴込み材を、７は草花を、８は基礎コンクリートを、９は基礎栗石を、１０は天端コンクリートをそれぞれ示す。
【００３１】
製品の製造方法は図示してないが、施工時に隣接又は段重ねして適度の施工隙間１を形成して表面露出部を凹凸変化を有する前面露出部積み面２を天然玉石又は乱型自然石Ａあるいはコンクリート擬石模様ブロックＢとし、天然玉石又は乱型自然石（砕石雑割でも良い）Ａの場合その背面にドリル孔３を設けてジョイント鉄筋４を接着剤で合設固定するかホールアンカーを設けて配力鉄筋５を組み込んだ状態で控尻端部Ｃ−１よりコンクリートを打設し、大型の擬石模様ブロックＢの場合はジョイント鉄筋４に配力鉄筋５を組み込んだものとし、比較的質量も少なく小寸法（縦横寸法２０〜３０ｃｍ程度）製品ではジョイント部を無鉄筋として背面底部より控尻に絞り込んだ型枠の控尻端部Ｃ−１よりコンクリートを打設した仮想背面控版Ｃを一体として土留め構築体とし、施工時に隣接又は段重ねされて形成される隙間１に植袋Ｄ（種子土嚢でも良い）を挟み込んで背面胴込み材６を埋設して順次段重ねして施工し草花７の繁茂や微生物の生息を容易として全体を構築できる様にしてなる空積み生態系ホタルブロックとその構築方法。
【００３２】
製品製造に於いては、いずれの製品も積み面２を下にして輪郭型枠で固定するか、自然石Ａの場合は、積み面２を敷砂にセッティングし安定させ仮想背面控版Ｃの型枠を立ち上げ固定取り付けてこの控尻端部Ｃ−１よりコンクリートを打設して簡単に製品として製造するものである。
【図面の簡単な説明】
【００３３】
【図１】この出願発明の一個製品の概要斜視図である。
【図２】複数個を一体化して製造した製品の概要斜視図である。
【図３】比較的大型自然石の積み面の背面底部にドリル孔を設け、ここに鉄筋を埋設固定しコンクリートを打設して仮想背面控版一体状態の背面よりの概要斜視図である。
【図４】施工状態の概要を示す正面・断面図である。
【符号の説明】
【００３４】
Ａ  天然玉石又は乱型自然石
Ｂ  コンクリート擬石模様ブロック
Ｃ  コンクリート仮想背面控版
Ｄ  植袋
Ｃ−１  控尻端部
Ｍ・Ｗ・Ｌ  平水位
Ｈ・Ｈ・Ｗ・Ｌ  ハイウォーターレベル
１  施工隙間
２  前面露出部の積み面
３  ドリル孔
４  ジョイント鉄筋
５  配力鉄筋
６  胴込み材
７  草花
８  基礎コンクリート
９  基礎栗石
１０  天端コンクリート
【図１】
2005068889.tif 000003
【図２】
2005068889.tif 000004
【図３】
2005068889.tif 000005
【図４】
2005068889.tif 000006